(57)【要約】【課題】  緑化法枠として使用場所や用途に沿った強度及び耐久性を有し、人体や環境に悪影響を与えず、且つ、植物が繁茂する時期には生分解する生分解性固化成型の法型枠材を提供する。【解決手段】  固化作用を有する食品由来の成分を有効成分とする生分解性の固化成型された棒状の法型枠材を法面に略口状に敷設し、生分解性串で仮固定し、法型枠材で囲まれた法面に客土を充填して、客土に播種又は植樹し、植生が繁茂する時期に生分解するようにする。法型枠材からのアンモニア態窒素が客土に溶出する場合には被覆剤を塗布又は巻付ける。【選択図】図１
2015214797.tif 000002
【特許請求の範囲】
【請求項１】
固化作用を有する食品由来の成分又は天然由来の成分を有効成分とする固化材を用いて成型された棒状の法型枠材を法面に略口状に敷設し、前記法型枠材で囲まれた空間に客土を充填することを特徴とする生分解性固化成型法型枠材を用いた法面の保護方法。
【請求項２】
前記法型枠材の側面に接して生分解性の串を法面に挿して前記法型枠を法面に敷設することを特徴とする請求項１記載の生分解性固化成型法型枠材を用いた法面の保護方法。
【請求項３】
前記法型枠材と客土とが接する面に生分解性の被覆剤を塗布し、又は前記法型枠材に生分解性の被覆シートを巻き付けることを特徴とする請求項１又は２記載の生分解性固化成型法型枠材を用いた法面の保護方法。
【表１】
2015214797.tif 000003
【発明の詳細な説明】
【技術分野】
【０００１】
本発明は、卵成分を用いた生分解性の固化材により製造した生分解性の固化成型体による法型枠材に関するものである。
【背景技術】
【０００２】
従来、法型枠は、枠内に敷設した土の流出を防ぐ役割を有し、植生が活着し土壌表面が安定する２〜３か月間その役割が期待される。
【０００３】
法型枠材として、コンクリート製、プラスチック製、鋼製の緑化用法枠材があり、固化材を用いて形成された固化成型体である法型枠もある。
【０００４】
特に、生分解性のプラスチックを用いた固化成型体が知られている（特許文献１、２参照）。
【０００５】
固化性石炭灰と生分解性繊維との混合物を固化させたプレキャストブロックを敷き詰めて法面を保護し、客土で空間を埋めて播種層を形成する方法が知られている（特許文献３）。
【先行技術文献】
【特許文献】
【０００６】
【特許文献１】特開２００２−１２１７４１号公報
【特許文献２】特開２００４−０７６４６０号公報
【特許文献３】特開平０４−３１９１１８号公報
【発明の概要】
【発明が解決しようとする課題】
【０００７】
しかしながら、上述したコンクリート製、プラスチック製、鋼製の緑化用法枠材は、施工後に植物が繁茂した施工後に法面場を歩行する場合のつまづきや法面植生の維持管理をする場合に、つまずいたり、草刈り機の刃こぼれの原因となったり、さらに、景観を損ねることにもなる。
【０００８】
固化成型体は、セメント系材料の固化材のものでは、重金属や環境ホルモン等の有害微量成分、固化成型体としたときの土中での有害成分の溶出を考慮すると、自然環境に対して絶対に優しいとはいえない。さらに、水に濡れると水酸化カルシウムを生じ、強いアルカリを呈するため、人体に悪影響を与えるおそれがある。
【０００９】
また、生分解性樹脂発泡の固化成型体の場合、生分解を促進するためにアルカリ性水溶液や微生物含有水を散布し、低分子量化するが、微生物分解により二酸化炭素を発生させるという問題が生じる。
【００１０】
法型枠としては、植生が繁茂する２〜３か月間保持し、その後自然に回帰させることができるものの方が、環境に影響がなく、施工性、維持管理の観点からも望ましい。
【００１１】
本発明は上記問題に着目してなされたものであり、法型枠材として使用場所や用途に沿った強度及び耐久性を有し、人体や環境に悪影響を与えず、且つ、植生に影響のない固化成型体の法型枠材を提供することを目的としている。
【課題を解決するための手段】
【００１２】
上記課題を解決するために、本発明に係る法型枠は固化作用を有する食品由来の成分又は天然由来の成分を有効成分とする固化材を用いて成型された棒状の法型枠材を法面に略口状に敷設し、前記法型枠材で囲まれた空間に客土を充填することを特徴とするものである。
【００１３】
前記法型枠材の側面に接して生分解性の串を法面に挿して客土を充填するまでの仮固定をしてもよい。
【００１４】
前記法型枠材に生分解性の被覆剤を塗布し、又は前記法型枠材に生分解性の被覆シートを巻き付けてもよい。
さらに、前記法型枠材の客土と接触する面に吸着剤を挟んでもよい。
【発明の効果】
【００１５】
本発明に係る法型枠は、使用場所や用途に沿った強度及び耐久性を有し、人体や環境に悪影響を与えず、且つ、植生が繁茂する時期後には自然回帰する。
【００１６】
また、法型枠材に生分解性の被覆剤を塗布又は被覆シートを巻き付けておけば、アンモニアが客土に溶出するのを抑制することができる。
【００１７】
また、前記固化成型体は加水分解されるので、自然に悪影響を与えることもない。
【図面の簡単な説明】
【００１８】
【図１】本実施における生分解性固化成型の法型枠材の設置状況を示す図である。
【図２】本実施の形態の法型枠材の空間に客土を敷設した図である。
【図３】本実施の形態の法型枠材の空間の客土に発芽した図である。
【図４】発芽生育状況とアンモニア濃度との関係を示す図である。
【図５】設置開始時の状況を示す図である。
【図６】設置後２４日経過後の状況を示す図である。
【発明を実施するための形態】
【００１９】
法面に法型枠１を敷設し、串２で仮に固定し、法型枠１で囲まれた空間に客土４を充填する。
【００２０】
目土４に種を撒いて、発芽、生育させる。
【００２１】
植物が生育する２〜３か月間法型枠として機能し、その後生分解して、自然に回帰する。
【実施例】
【００２２】
図１に示すように、法面３の表面に法型枠１を設置し、設置した法型枠１の両側面に沿って生分解性の串２を法面３に挿して、法型枠１を仮固定する。
【００２３】
図２に示すように、法型枠１で囲まれた空間に客土４を散土する。法型枠１で囲まれた空間に客土４を散土することにより、法型枠１は完全に固定される。
【００２４】
図３は、客土４に種を撒いて、発芽した状況示す図であり、発芽育成する２〜３か月後に法型枠１の生分解が進行する。
【００２５】
法枠材１が生分解する際に、法型枠１に含まる尿素が土壌中でアンモニアに変化し、植物の育成が良好になるが、アンモニア濃度が過多状態にとなり、植物の発芽、生育に悪影響を及ぼす場合が考えられる。
【００２６】
このような場合には、アンモニアの溶出を抑えるために法型枠１に被覆剤を塗布するか、生分解性の被覆シートを巻き付けて、使用すればよい。
【００２７】
図４は法型枠１に被覆シートを巻き付け場合と巻き付けない場合との法型枠１からの距離におけるアンモニア濃度と生育長を示す実験結果である。
【００２８】
図５の左側は法型枠に生分解性被覆シートを一重巻いて場合、中央は同シートを二重に巻いた場合、右側は巻かない場合で、手前側に法型枠を設置し種子を植え付けている。
【００２９】
図６は、図５の設置後２４日経過した状況であり、シートを巻いていない右側がアンモニアの影響を受けて生育が阻害されている状況を示している。
【００３０】
図６の左側と中央はシートを巻き付けてアンモニアの溶出を抑制した効果があることを示している。
【００３１】
被覆剤、被覆シートの種類を表１に示す。
【００３２】
被覆剤の塗布、シートの巻き付ける方法以外に、アンモニアを吸着する材料を法型枠１が客土４と接触する面に設けても良い。
【００３３】
吸着剤の材料は、ゼオライト、活性炭、陽イオン交換樹脂が好適である。
【符号の説明】
【００３４】
１          法型枠
２          串
３          法面
４          客土
【図１】
2015214797.tif 000004
【図２】
2015214797.tif 000005
【図３】
2015214797.tif 000006
【図４】
2015214797.tif 000007
【図５】
2015214797.tif 000008
【図６】
2015214797.tif 000009